(57)【要約】  確実かつ容易に筒状に成形可能なシートパイプ用シート及び低コストかつ時間効率の良好な施工が可能なシートパイプ用シートの成形装置を提供する。  複数の小孔が穿設された合成樹脂製の柔軟性平板の端部のうち，平行する一対の端部は筒状に成形された場合に繋ぎ目部分を形成し、このうち一方の端部は挿入部とこの挿入部に比較して幅が狭まる切欠部を備えた舌片部が一定間隔を空けて複数直列に成形され、他方の端部はこの複数の舌片部に符合して複数直列に切込部が設けられ、舌片部と切込部は、互いに撓みつつ舌片部が切込部の上方から挿入されて筒状に成形される際に、撓んだ舌片部の挿入部の外周が撓んだ切込部の内周に沿って挿入可能に構成されるシートパイプ用シート及びその成形装置である。
2014013577.tif 000002
【特許請求の範囲】
【請求項１】
複数の小孔が穿設された合成樹脂製の柔軟性平板（２）が筒状に成形され，地層内に埋設されて地下水を誘導又は排水するシートパイプに用いられるシートパイプ用シートであって、
前記シートパイプ用シートの端部のうち，平行する一対の端部（６ａ，６ｂ）は筒状に成形された場合に繋ぎ目部分（６）を形成し、このうち一方の端部（６ａ）は挿入部（４ａ）とこの挿入部（４ａ）に比較して幅が狭まる切欠部（４ｂ）を備えた舌片部（４）が一定間隔を空けて複数直列に成形され、他方の端部（６ｂ）はこの複数の舌片部（４）に符合して複数直列に切込部（５）が設けられ、
前記舌片部（４）と前記切込部（５）は、互いに撓みつつ前記舌片部（４）が前記切込部（５）の上方から挿入されて筒状に成形される際に、撓んだ前記舌片部（４）の挿入部（４ａ）の外周が撓んだ前記切込部（５）の内周に沿って挿入可能に構成されることを特徴とするシートパイプ用シート（１）。
【請求項２】
前記切込部（５）は、前記他の端部（６ｂ）側に円弧（６ａ）を形成する円弧形状であることを特徴とする請求項１記載のシートパイプ用シート（１）。
【請求項３】
前記切込部（７）は、前記他の端部（６ｂ）側に垂直画（７ｂ）を形成するＴ字形状であることを特徴とする請求項１記載のシートパイプ用シート（１ａ）。
【請求項４】
前記舌片部（４）の挿入部（４ａ）の最大幅は、前記切込部（５）の最大幅より広いことを特徴とする請求項１乃至請求項３のいずれか１項に記載のシートパイプ用シート。
【請求項５】
請求項１乃至請求項４のいずれか１項に記載のシートパイプ用シートを導入して、シートパイプを成形する装置であって、
台座（９）に支持具（１０ａ〜１０ｃ）を介して長軸方向に沿って直列に設置されるシート巻回部（１０）と，導入部（１１）と，第１のガイド部（１６）と，第２のガイド部（１９）とを備え、
前記シート巻回部（１０）は、前記シートパイプ用シートの前記舌片部（４）と前記切込部（５）がそれぞれ側部に形成されるように前記シートパイプ用シートを巻いて保持すると共に、前記導入部（１１）へ前記シートパイプ用シートを供給し、
前記導入部（１１）は、前記シートパイプ用シートをその長軸方向に沿って導入する入口開口端（１２ａ）と、この導入された前記シートパイプ用シートを送り出す出口開口端（１２ｂ）と、前記入口開口端（１２ａ）から前記出口開口端（１２ｂ）に向けて上部に隙間を有して縮径しながら対向する一対の翼部であって，前記シートパイプ用シートの舌片部（４）が前記切込部（５）の上方から挿入されて筒状に成形されるように舌片部（４）側の翼部（１３ａ）の曲率が切込部（５）側の翼部（１３ｂ）の曲率よりも大である一対のラッパ管状に形成された翼部（１３ａ，１３ｂ）を備え、
前記第１のガイド部（１６）は、前記出口開口端（１２ａ）から湾曲され送り出された前記シートパイプ用シートを通過させて，筒状のシートパイプ（２３）に成形する通過孔部（１７）と、前記シートパイプ用シートを上方から圧接する垂直回転ローラー（１８）を備え、
前記第２のガイド部（１９）は、前記通過孔部（１７）の径よりも小さい径を有して前記筒状のシートパイプ（２３）を通過させる環状孔（２０）を備えることを特徴とするシートパイプ成形装置（８）。
【請求項６】
前記第２のガイド部（１９）に代えて、前記第１のガイド部（１６）を通過した前記筒状のシートパイプ（２３）の両側面に当接する一対の水平回転ローラー（２４，２４）が備えられることを特徴とする請求項５に記載のシートパイプ成形装置（８ａ）。
【発明の詳細な説明】
【技術分野】
【０００１】
本発明は、柔軟性平板が筒状に成形され，地層内に埋設されて地下水を誘導又は排水するシートパイプに用いられるシートパイプ用シート及びその成形装置に係り、特に、シートの繋ぎ目部分に可撓性を有する舌片部及び切込部を備え、撓んだ舌片部が撓んだ切込部に挿入可能に構成されるシートパイプ用シート及びその成形装置に関する。
【背景技術】
【０００２】
従来、農地における暗渠排水工法では、地盤の浅層を開削し、塩化ビニル有孔管や陶管といった既に成形されたパイプを埋設する開削暗渠工法が広く行われており、地下水の排除に効果を挙げて来ている。
しかし、成形されたパイプを埋設するには輸送コストも含む総コストが嵩むうえ、暗渠完成までの施工スピードが遅いといった課題があった。そのため、成形されたパイプではなく、柔軟性を有するプラスチックシートを現地でパイプ状に成形しながら、順次これを地盤に埋設する技術が開発され実施されるようになった。なお、プラスチックシートをパイプ状に成形するには、シートを湾曲させた場合の対向する端部同士を接着又は圧着して連結することにより行われていた。
しかし、このような接着又は圧着では、やはり施工コストや時間がかかり、前述した課題を十分に解決することができなかった。
そこで、このような課題を解決する目的で、近年、シートの端部同士を「はぜかけ方式」等で連結してパイプを成形する技術が開発され、それに関して既にいくつかの発明が開示されている。【０００３】
例えば、特許文献１には、「プラスチックスシート連続筒体成形装置」という名称で、土中に埋設して灌漑排水等に使用する筒体を帯状プラスチックスシートを用いて連続的に成形する装置に関する考案が開示されている。
以下、特許文献１に開示された考案について説明する。特許文献１に開示されたプラスチックスシート連続筒体成形装置に関する考案は、帯状プラスチックスシートの筒状湾曲用ガイドの上部に、筒状湾曲シート継目縁の圧下具を設け、この圧下具に引続いて筒体成形環を設け、帯状プラスチックスシートをその長手方向に筒状湾曲用ガイドから筒体成形環の内部を通過させるよう形成したことを特徴とする。
さらに、この帯状プラスチックスシートについて図８を参照しながら説明する。図８において、帯状プラスチックスシート２７は、ポリエチレン等の弾力性のある基材２８に、複数の小孔２９と、継目縁３０ａに沿って直列される複数の逆止舌片３１と、継目縁３０ｂに沿って逆止舌片３１を挿入可能に直列され，左右端に逆止用切れ込み３２ａが備えられる複数の逆止孔３２と、が穿設されている。
このような特徴を備えたプラスチックスシート連続筒体成形装置においては、帯状プラスチックスシート２７を筒状湾曲用ガイドに挿入すると、帯状プラスチックスシート２７はガイドに案内誘導されて筒状に湾曲して継目縁３０ａ，３０ｂが近接する。次に、この継目縁３０ａ，３０ｂが圧下具により圧下されることで逆止舌片３１は逆止孔３２に挿入され、帯状プラスチックスシート２７が湾曲された筒状となる。さらに、帯状プラスチックスシート２７が筒体成形環の内部へ誘導されることにより、その外径が縮小して逆止舌片３１が逆止孔３２に完全に進入し、筒体が完成するという作用を有する。従って、簡便かつ連続的に帯状プラスチックスシート２７を筒体へと成形することができるという効果を有する。【０００４】
次に、特許文献２には、「線、管もしくはケーブルの地中埋設方法」という名称で、灌漑作業やケーブル敷設作業等において使用する線等の地中埋設方法に関する発明が開示されている。
以下、特許文献２に開示された発明について説明する。特許文献２に開示された線等の地中埋設方法に関する発明は、穿孔機によって進行する穿孔体に、高分子材料のシートと，その筒状の内部を通過する曳索と，を連結して土中に配設し、穿孔体を進行させてシートをもとの平板状にもどらないようにして筒状成形体に成形するとともにこれらを地中に敷設した後、筒状成形体及び曳索を穿孔体から取り外し、さらに曳索に線等の先端を結着し、曳索のみを牽引することを特徴とする。
このような特徴を備えた線等の地中埋設方法においては、穿孔機の走行により穿孔体の後方に穿孔が掘削される。穿孔体には高分子材料のシートが連結されているので、穿孔体の進行に伴ってシートが次々に繰出されて筒状成形体が成形されるとともに穿孔に沿って敷設される。また、筒状成形体内部には曳索が通過しているため、地中には筒状成形体と曳索が敷設される。その後、筒状成形体及び曳索を穿孔体と切り離して曳索の後端に線等の先端を結着し、さらに曳索を引く抜くことによって筒状成形体の内部に線等が敷設されるという作用を有する。従って、容易、迅速かつ安価に線等を地中に敷設することが可能である。加えて、これらの線等の寸法、数量を自在に選択することができるという効果を有する。
【先行技術文献】
【特許文献】
【０００５】
【特許文献１】実全昭５２−１３３２６５号公報
【特許文献２】特開昭５６−１６３３０８号公報
【発明の概要】
【発明が解決しようとする課題】
【０００６】
しかしながら、特許文献１に開示された考案においては、近接する帯状プラスチックスシート２７の継目縁３０ａ，３０ｂが圧下され逆止舌片３２が逆止孔３２に挿入される。すなわち、前述した「はぜかけ方式」によって筒状湾曲シートが形成される。
しかしながら、逆止舌片が逆止孔へ挿入困難なために継目縁３０ａ，３０ｂが互いに不十分な連結状態となってこの部分が外れる事態が頻発し、筒状を維持することができないという課題があった。また、逆止舌片３１を挿入する際に逆止用切れ込み３２ａに応力が集中することから、この部分が裂けてしまうという課題もあった。【０００７】
また、特許文献２に開示された考案においては、「シートをもとの平板状にもどらないようにして筒状成形体に成形する」とされているものの、具体的な成形方法に関する詳細な記載がなく、不明確である。また、ガイドは上方に開放部を備え、この開放部は同一形状をなす一対のラッパ状を成していることから、巻回されたシートの先端同士が衝突するおそれがある。そのため、巻回速度の低下や筒状成形体の成形不全が発生する可能性がある。【０００８】
本発明はこのような従来の事情に対処してなされたものであり、確実かつ容易に筒状に成形可能なシートパイプ用シート及び低コストかつ時間効率の良好な施工が可能なシートパイプ用シートの成形装置を提供することを目的とする。
【課題を解決するための手段】
【０００９】
上記目的を達成するため、請求項１記載の発明に係るシートパイプ用シートは、複数の小孔が穿設された合成樹脂製の柔軟性平板が筒状に成形され，地層内に埋設されて地下水を誘導又は排水するシートパイプに用いられるシートパイプ用シートであって、シートパイプ用シートの端部のうち，平行する一対の端部は筒状に成形された場合に繋ぎ目部分を形成し、このうち一方の端部は挿入部とこの挿入部に比較して幅が狭まる切欠部を備えた舌片部が一定間隔を空けて複数直列に成形され、他方の端部はこの複数の舌片部に符合して複数直列に切込部が設けられ、舌片部と切込部は、互いに撓みつつ舌片部が切込部の上方から挿入されて筒状に成形される際に、撓んだ舌片部の挿入部の外周が撓んだ切込部の内周に沿って挿入可能に構成されることを特徴とする。
上記構成のシートパイプ用シートにおいて、「撓んだ舌片部の挿入部の外周が撓んだ切込部の内周に沿って挿入可能」とは、舌片部が撓んでいない場合においては撓んでいない切込部への挿入が困難であるという意味である。しかし、例えば圧力を加えて舌片部及び切込部を変形させることにより、挿入部は切込部へ容易に挿入される。従って、繋ぎ目部分が全体に亘って連結され、完全な筒状のシートパイプが成形されるという作用を有する。
さらに、舌片部は切欠部を備えることから、舌片部が完全に切込部に挿入されると、切欠部が切込部に係止されて互いに離脱困難な状態になるという作用を有する。これに加えて、「舌片部が切込部の上方から挿入されて筒状に成形される」ことから、シートパイプが埋設された場合における地層の荷重は舌片部が切込部へより進入するように作用するので、舌片部と切込部は埋設後さらに離脱困難な状態になる。【００１０】
そして、請求項２に記載の発明に係るシートパイプ用シートは、請求項１記載のシートパイプ用シートにおいて、切込部は、他の端部側に円弧を形成する円弧形状であることを特徴とする。
上記構成のシートパイプ用シートにおいて、円弧形状とは円弧と弦で囲まれる部分を意味しており、他の端部と弦は平行を成している。このような構成のシートパイプ用シートにおいては、請求項１に記載の発明の作用に加えて、例えば舌片部の最大幅が弦の長さよりも長くかつ円弧の内周よりも短い場合では、舌片部の下方に切込部を重ね、舌片部の上方から圧力を加えると、円弧形状に沿うように舌片部が湾曲し舌片部が切込部に挿入されるという作用を有する。【００１１】
次に、請求項３に記載の発明に係るシートパイプ用シートは、請求項１記載のシートパイプ用シートにおいて、切込部は、他の端部側に垂直画を形成するＴ字形状であることを特徴とする。
上記構成のシートパイプ用シートにおいて、Ｔ字は水平画（かく）と垂直画（かく）からなる文字であって、他の端部と水平画は平行を成している。このような構成のシートパイプ用シートにおいては、請求項１記載の発明の作用に加えて、舌片部の下方に切込部を重ね、舌片部の上方から圧力を加えると、湾曲した舌片部によってＴ字の水平画と垂直画との交点における直角部が押さえられる。その結果、直角部が折れ曲がりＴ字形状は円弧形状に変形する。従って、例えば舌片部の最大幅が水平画の長さよりも長くかつ舌片部の最大幅が変形によって生じた円弧の内周よりも短い場合では、舌片部が切込部に挿入されるという作用を有する。なお、Ｔ字形状が変形する形状は、円弧形状の他、水平画を底辺とする三角形状も含まれる。【００１２】
請求項４に記載の発明に係るシートパイプ用シートは、請求項１乃至請求項３のいずれか１項に記載のシートパイプ用シートにおいて、舌片部の挿入部の最大幅は、切込部の最大幅より広いことを特徴とする。
上記構成のシートパイプ用シートにおいて、「舌片部の挿入部の最大幅」及び「切込部の最大幅」とは、何らかの圧力によって変形されていない舌片部の挿入部の最大幅及び切込部の最大幅を意味している。従って、このシートパイプ用シートにおいては、請求項１乃至請求項３のいずれか１項に記載の発明の作用に加えて、例えば圧力が加えられて舌片部及び切込部が変形し、舌片部が切込部に挿入された後に加圧を停止すると、舌片部及び切込部が元の変形されていない形状に戻る。従って、舌片部は、切込部から引き抜き困難になるという作用を有する。一方、再び加圧して舌片部及び切込部が変形されることに加えて両側方向へシートを引っ張る力が加えられると、舌片部は切込部から引き抜き可能になるという作用を有する。【００１３】
請求項５に記載の発明に係るシートパイプ成形装置は、請求項１乃至請求項４のいずれか１項に記載のシートパイプ用シートを導入して、シートパイプを成形する装置であって、台座に支持具を介して長軸方向に沿って直列に設置されるシート巻回部と，導入部と，第１のガイド部と，第２のガイド部とを備え、シート巻回部は、シートパイプ用シートの舌片部と切込部がそれぞれ側部に形成されるようにシートパイプ用シートを巻いて保持すると共に、導入部へシートパイプ用シートを供給し、導入部は、シートパイプ用シートをその長軸方向に沿って導入する入口開口端と、この導入されたシートパイプ用シートを送り出す出口開口端と、入口開口端から出口開口端に向けて上部に隙間を有して縮径しながら対向する一対の翼部であって，シートパイプ用シートの舌片部が切込部の上方から挿入されて筒状に成形されるように舌片部側の翼部の曲率が切込部側の翼部の曲率よりも大である一対のラッパ管状に形成された翼部を備え、第１のガイド部は、出口開口端から湾曲され送り出されたシートパイプ用シートを通過させて，筒状のシートパイプに成形する通過孔部と、シートパイプ用シートを上方から圧接する垂直回転ローラーを備え、第２のガイド部は、通過孔部の径よりも小さい径を有して筒状のシートパイプを通過させる環状孔を備えることを特徴とする。
上記構成のシートパイプ成形装置において、第１のガイド部の通過孔部の横径は、一対の翼部間の最大間隔以下となっている。また、垂直回転ローラーは筒状のシートパイプを先端方向に向けて送り出し可能な方向に回転する。
このような構成のシートパイプ成形装置は、シート巻回部に保持されるシートパイプ用シートが導入部の上部に隙間を有して縮径しながら対向する一対の翼部を通過することで、その両側部が上方に湾曲される。そして、舌片部側の翼部の曲率が切込部側の翼部の曲率よりも大であるために、舌片部側の側部の下方に切込部側の側部が潜り込み可能な形状に変形される。
次に、変形されたシートパイプ用シートは、第１のガイド部の通過孔部を通過している間に、舌片部側及び切込部側の側部が互いに重複して継ぎ目部分が形成され、シートが筒状に変形され始める。なお、この継ぎ目部分は、筒状の最上部付近に形成される。これと同時に継ぎ目部分は垂直回転ローラーによって上方から圧接されることから、舌片部が下方へ突出した形状に湾曲されて切込部に挿入され始める。この時点では、切込部に対し、舌片部の全体が完全に挿入されなくても良い。
次に、第２のガイド部は通過孔部の径よりも小さい径の環状孔を備えることから、ほぼ筒状となったシートパイプが縮径し、舌片部は切込部へさらに深く押し込まれる。そしてシートパイプ用シートがその先端方向へ送られることで、複数直列した舌片部がこれに符合する複数直列の切込部に順次押し込まれる。すなわち、継ぎ目部分が連結された筒状のシートパイプが完成する。【００１４】
請求項６に記載の発明に係るシートパイプ成形装置は、請求項５に記載のシートパイプ成形装置において、第２のガイド部に代えて、第１のガイド部を通過した筒状のシートパイプの両側面に当接する一対の水平回転ローラーが備えられることを特徴とする。
上記構成のシートパイプ成形装置において、一対の水平回転ローラーは筒状のシートパイプを先端方向に向けて送り出し可能な方向に回転する。
このような構成のシートパイプ成形装置におけるこの他の作用は、請求項５に記載の発明と同様である。
【発明の効果】
【００１５】
本発明の請求項１に記載のシートパイプ用シートによれば、舌片部が切込部に挿入されてシートパイプ用シートが筒状に成形されることから、現地において筒状に成形することが容易である。従って、すでに筒状に成形されたパイプを埋設するよりも輸送コストが安価である。また、舌片部が上方から切込部へ完全に挿入されるとこれらは互いに離脱困難な状態になることから、シートパイプを埋設後に継ぎ目部分が離脱するという事態となり難い。すなわち、シートパイプに周囲の泥が侵入して排水が阻害されないので、長期間に亘って良好な排水機能を発揮することができる。【００１６】
本発明の請求項２記載のシートパイプ用シートによれば、請求項１に記載の発明の効果に加えて、舌片部の上方から圧力を加えると舌片部が湾曲し切込部に挿入されることから、特許文献１に開示された発明よりも容易かつ確実にこれらを連結することが可能である。従って、継ぎ目部分が外れるという事態を回避することができる。また、切込部は円弧形状であることから、舌片部挿入時の応力が集中する部分がないため、切込部の破損も回避することができる。【００１７】
本発明の請求項３に記載のシートパイプ用シートによれば、請求項１又は請求項２に記載の発明と同様の効果を有する。【００１８】
本発明の請求項４に記載のシートパイプ用シートによれば、加圧を停止することで舌片部は切込部から引き抜き困難又は引き抜き可能となる。一方、加圧及び側方へシートを引っ張ることで舌片部は引き抜き可能となる。従って、本請求項に記載のシートパイプ用シートにおいては、請求項１乃至請求項３のいずれか１項に記載の発明の効果に加えて、自在にシートパイプ用シートを筒状又はシート状のいずれかに形成することができる。【００１９】
本発明の請求項５記載のシートパイプ成形装置によれば、シート巻回部に保持されるシートパイプ用シートが導入部に導入された後、第２のガイド部を通過することで筒状のシートパイプが自動的に成形可能である。従って、手作業の負担がわずかである上に迅速にシートパイプを成形することができる。
また、成形されたシートパイプは、第２のガイド部により、ほぼ筒状となったシートパイプの舌片部が切込部へ深く押し込まれることから、継ぎ目部分の強度が高い。そのため、埋設作業中にこの部分が開く可能性が殆んどなく、作業効率が良好である。また、埋設後においてシートパイプの上方から大きな荷重が掛かる場合にも継ぎ目部分が外れるという不具合が発生しない。なお、埋設後においては、シートパイプの両側面には地層が迫ってきているので、この方向にパイプが拡張可能なスペースが存在しない。従って、この点からも継ぎ目部分の外れは起こらず、耕作用機械の通過にも筒形状を安定的に維持することができるという効果を有する。【００２０】
本発明の請求項６記載のシートパイプ成形装置によれば、請求項５に記載の発明と同様な効果を有する。
【図面の簡単な説明】
【００２１】
【図１】（ａ）及び（ｂ）は、それぞれ本発明の第１の実施の形態に係るシートパイプ用シートの平面図及び成形後の外観図である。
【図２】本発明の第１の実施の形態における変形例に係るシートパイプ用シートの平面図である。
【図３】（ａ）は本発明の第１の実施の形態に係るシートパイプ用シートの強度試験結果であり、（ｂ）乃至（ｅ）はそれぞれ横断面の模式図である。
【図４】本発明の第２の実施の形態に係るシートパイプ成形装置の平面図である。
【図５】本発明の第２の実施の形態における変形例に係るシートパイプ成形装置の平面図である。
【図６】（ａ）及び（ｂ）はそれぞれ本発明の第２の実施の形態に係るシートパイプ成形装置における第１のガイド部の平面図であり、（ｃ）は（ａ）におけるＡ−Ａ線矢視断面図である。
【図７】（ａ）乃至（ｄ）はそれぞれ本発明の第２の実施の形態に係るシートパイプ成形装置における第１のガイド部の動作前後の側面図であり、（ｂ）は図６（ａ）におけるＢ−Ｂ線矢視図であって、（ｃ）は図６（ｂ）におけるＣ−Ｃ線矢視図である。
【図８】従来技術に係るシートパイプ用シートの平面図である。
【発明を実施するための形態】
【実施例１】
【００２２】
本発明の実施の形態に係る実施例１のシートパイプ用シートについて、図１乃至図３を用いて詳細に説明する（主に、請求項１乃至請求項４に対応）。なお、図１で示した構成要素については、図２においても同一の符号を付して、その説明を省略する。
図１（ａ）及び図１（ｂ）は、それぞれ本発明の第１の実施の形態に係るシートパイプ用シートの平面図及び成形後の外観図である。【００２３】
図１（ａ）に示すように、本実施例のシートパイプ用シート１は、１ｍｍ厚さを有するポリエチレン製の柔軟性平板２に複数の小孔３が穿設され、互いにおよそ１５０ｍｍ間隔を空けて平行する端部６ａ，６ｂが備えられる。この端部６ａ，６ｂには、それぞれ複数の舌片部４及び切込部５がおよそ１０ｍｍ間隔を空けて直列して設けられ、切込部５は舌片部４に符合する位置に設けられる。
舌片部４には、略三角形状の挿入部４ａと、略三角形状の底辺の両端に相当する位置に切欠部４ｂ，４ｂが備えられる。また、切込部５は、舌片部４を挿入するために設けられており、円弧５ａ及び弦５ｂによって囲まれた略半径形状を成す。この円弧５ａは端部６ｂ寄りに位置し、弦５ｂは端部６ｂと平行である。なお、挿入部４ａの最大幅は、円弧５ａの内周よりも短くかつ弦５ｂの最大幅より広いものとなっている。
図１（ｂ）に示すように、端部６ａと端部６ｂが互いに対向するようにシートパイプ用シート１を湾曲させ、さらにこれらを近接させて繋ぎ目６を形成すると、シートパイプ用シート１は径がおよそ５０ｍｍの筒状となる。繋ぎ目６においては、端部６ａが端部６ｂに上方から覆い被さった状態となっている。また、切込部５には舌片部４が挿入されている。【００２４】
次に、図２を参照しながら、実施例１の変形例について説明する。図２は、本発明の第１の実施の形態における変形例に係るシートパイプ用シートの平面図である。
図２に示すように、本実施例の変形例に係るシートパイプ用シート１ａは、シートパイプ用シート１における切込部５が切込部７に置換されたものである。切込部７は、切込部５と同様に舌片部４を挿入するために設けられており、水平画７ａに垂直画７ｂが組み合わされた略Ｔ字形状を成す。この垂直画７ｂは端部６ｂ寄りに位置し、水平画７ａは端部６ｂと平行である。なお、挿入部４ａの最大幅は、水平画７ａの幅よりも広いものとなっている。
この他の構成は、実施例１に係るシートパイプ用シート１と同様である。【００２５】
次に、本実施例に係るシートパイプ用シート１の作用について説明する。
本実施例のシートパイプ用シート１においては、挿入部４ａの最大幅は円弧５ａの内周よりも短くかつ弦５ｂの最大幅より広いものとなっていることから、挿入部４ａが平板状態にあっては舌片部４が切込部７へ完全に挿入されない。そこで、繋ぎ目６を形成後に挿入部４ａの上方から加圧すると、円弧５ａの内周に沿うように挿入部４ａが湾曲し切込部５に挿入される。そのまま加圧を継続すると、切欠部４ｂ，４ｂが弦５ｂの両端部に当接した状態となる。その後加圧を停止すると、湾曲していた挿入部４ａが元の平板な状態に戻って、切欠部４ｂ，４ｂが弦５ｂの両端部に係止され、舌片部４と切込部５は互いに離脱困難な状態になるという作用を有する。なお、繋ぎ目６には、それぞれ複数の舌片部４及び切込部５が直列することから、繋ぎ目６に沿って連続的に圧力が加えられると、繋ぎ目６が全体に亘って連結され、完全な筒状のシートパイプが成形されるという作用を有する。
一方、繋ぎ目６を連結後に、再び加圧して舌片部４及び切込部５が変形されることに加えて端部６ａ，６ｂを互いに離脱する方向へ引っ張ると、舌片部４は切込部５から引き抜き可能になるという作用を有する。
また、繋ぎ目６においては端部６ａが端部６ｂに覆い被さった状態となっていることから、切込部５に対し舌片部４が上方から挿入される。従って、繋ぎ目６に上方から荷重が掛かると、舌片部４が切込部５へより深く進入することとなるため、さらに繋ぎ目６は離脱困難な状態になるという作用を有する。この作用に関し、以下詳細に説明する。【００２６】
次に、荷重が加えられた場合における繋ぎ目部分の作用について説明する。
図３（ａ）は本発明の第１の実施の形態に係るシートパイプ用シートにおいて、繋ぎ目部分の位置を変化させた場合の強度試験結果であり、図３（ｂ）乃至図３（ｅ）はそれぞれ横断面の模式図である。
図３（ａ）において、横軸はシートパイプ用シート１の鉛直上方から加えられた圧力（ｋＮ／ｍ２）であり、縦軸はこの圧力によるシートパイプ用シート１の鉛直方向に沿った直径のつぶし量（ｍｍ）である。つぶし量の測定は、０．７ｍｍ厚と１．０ｍｍ厚の柔軟性平板２について、いずれも繋ぎ目６の位置を変化させて行った。
この繋ぎ目６の位置は、繋ぎ目６と鉛直方向とのなす角度θによって表わされる。繋ぎ目６が鉛直方向に沿って上方に位置している場合の角度θを基準とすると、図３（ｂ）乃至図３（ｄ）に示すように、それぞれ角度θ＝０度、９０度、１８０度である。なお、いずれの角度においても繋ぎ目６では舌片部４が切込部５へ上方から挿入されている。また、比較例として、図３（ｅ）に示すように、従来技術における舌片部４が切込部５へ下方から挿入されている場合であって、角度θ＝９０度におけるつぶし量の測定を行った。【００２７】
図３（ａ）に示すように、カーブａ〜ｃ，ｇはいずれも０．７ｍｍ厚の柔軟性平板２についての測定値であり、繋ぎ目６の位置はそれぞれ上方（図３（ｂ）参照）、側方（図３（ｃ）参照）、下方（図３（ｄ）参照）、側方（図３（ｅ）参照）である。このうち、カーブｇは比較例である。
また、カーブｄ〜ｆ，ｈはいずれも１．０ｍｍ厚の柔軟性平板２についての測定値であり、繋ぎ目６の位置はそれぞれ上方（図３（ｂ）参照）、側方（図３（ｃ）参照）、下方（図３（ｄ）参照）、側方（図３（ｅ）参照）である。このうち、カーブｈは比較例である。なお、カーブｇとカーブｈにおいては圧力が０ｋＮ／ｍ２の場合で既につぶし量が１０ｍｍ程度発生しているのは９０度にした時点で自重でつぶれたためである。
そして、ラインｉは土圧を示し、ラインｊはシートパイプ用シート１を地中に設置する際に作業に供するブルドーザや設置後に地上で作業する際に用いられるトラクター等による載荷重を示すものであり、その大きさ（矢印の長さ）は重機の重量やシートパイプが設置される地中の深度による。
カーブｇ，ｈによれば、土圧ｉ（約７（ｋＮ／ｍ２））がかかるとつぶし量が１０ｍｍ〜１７ｍｍ程度発生しており、土中に埋設した段階でシートパイプがつぶれてしまうことが理解できる。
カーブａ〜ｃによれば、圧力が約７（ｋＮ／ｍ２）程度であればほとんどつぶし量が発生しておらず、土中に埋設した場合にシートパイプがつぶれてしまうことはないことが示されている。これらのカーブａ〜ｃは、土圧程度では同じ０．７ｍｍ厚の柔軟性平板２に関する比較例のカーブｇよりも常に下側に分布しており、従って、舌片部４が切込部５へ上方から挿入されている場合では、下方から挿入されている場合に比較して高い強度を発揮している。
ところが、載荷重ｊを考えると、その大きさによってはつぶし量が増加してしまい、地中でシートパイプがつぶれてしまう可能性がある。そこで、カーブｄ〜ｆに示されるような１．０ｍｍ厚の柔軟性平板２が優位になる。この１．０ｍｍ厚の柔軟性平板２に関するカーブｄ〜ｆでは、圧力が２０（ｋＮ／ｍ２）程度でもつぶし量がほとんど発生しておらず、埋設されたシートパイプ上の地面を重機が通過などしてもシートパイプがつぶれる可能性が低い。これらのカーブｄ〜ｆは、同じ１．０ｍｍ厚の柔軟性平板２に関する比較例のカーブｈよりも常に下側に分布しており、１．０ｍｍ厚の柔軟性平板２においても、舌片部４が切込部５へ上方から挿入されている場合に高い強度を発揮している。
また、載荷重の大小によってシート厚を変える必要があることも理解できる。【００２８】
さらに、本実施例の変形例に係るシートパイプ用シート１ａの作用について説明する。
本実施例のシートパイプ用シート１ａにおいては、挿入部４ａの最大幅は水平画７ａの幅よりも広いものとなっているために、実施例１に係る切込部５の場合と同様に舌片部４が切込部７へ完全に挿入されない。そこで、繋ぎ目６を形成後に挿入部４ａの上方から加圧すると、湾曲した挿入部４ａによって水平画７ａと垂直画７ｂとの交点における直角部が押さえられる。その結果、直角部が折れ曲がり切込部７は切込部５と同様な円弧形状に変形する。なお、この円弧形状の内周が挿入部４ａの最大幅よりも広くなるように、水平画７ａ及び垂直画７ｂの長さが設計されているため、挿入部４ａが湾曲し切込部７に挿入されるという作用を有する。そして、さらに加圧を継続すると、切欠部４ｂ，４ｂが水平画７ａの両端部に当接した状態となる。その後加圧を停止すると、切欠部４ｂ，４ｂが水平画７ａの両端部に係止され、舌片部４と切込部７は互いに離脱困難な状態になるという作用を有する。
この他の作用は、実施例１に係るシートパイプ用シート１と同様である。【００２９】
以上説明したように、本実施例のシートパイプ用シート１によれば、舌片部４の上方から圧力を加えることで切込部５に挿入されることから、容易に端部６ａと端部６ｂを連結することができる。従って、不完全な連結部分が発生しないことから繋ぎ目６が外れることがなく、確実にシートパイプ用シート１を筒状とすることが可能である。
そして、加圧を停止すると切欠部４ｂ，４ｂが弦５ｂの両端部に係止されて互いに離脱困難な状態になることから、繋ぎ目６は強固に連結されて埋設作業中に繋ぎ目６が外れる事態とならない。また、切込部５に対し舌片部４が上方から挿入されて繋ぎ目６は土圧よりも遙かに高い耐圧性を発揮するため、埋設後の長期的な使用に耐え良好な排水機能を維持することができる。
また、繋ぎ目６を連結後に、再び加圧等することで、舌片部４は切込部５から引き抜き可能になるという作用を有することから、自在かつ容易にシートパイプ用シート１を筒状又はシート状のいずれかに形成することができる。【００３０】
さらに、本実施例の変形例に係るシートパイプ用シート１ａの効果について説明する。
本実施例のシートパイプ用シート１によれば、繋ぎ目６に対する加圧及び加圧停止により、舌片部４と切込部７は互いに離脱困難な状態になることから、容易な操作によって繋ぎ目６を確実に連結することができる。
この他の効果は、実施例１に係るシートパイプ用シート１と同様である。【００３１】
なお、本発明のシートパイプ用シートの構造は本実施例に示すものに限定されない。例えば、舌片部４及び切込部５，７の間隔は、１０ｍｍ以外でも良い。また、シートパイプ用シートの端部６ａ，６ｂの間隔は１５０ｍｍ以外でも良く、その厚さは１ｍｍ以外であっても良い。
【実施例２】
【００３２】
本発明の実施の形態に係る実施例２のシートパイプ成形装置について、図４乃至図７を用いて詳細に説明する（主に、請求項５及び請求項６に対応）。なお、図１及び図２で示した構成要素については、図４乃至図７においても同一の符号を付して、その説明を省略する。
図４は、本発明の第２の実施の形態に係るシートパイプ成形装置の平面図である。【００３３】
図４に示すように、本実施例のシートパイプ成形装置８は、略長方形状を成す板材である台座９の長軸方向に沿って直列に設置されるシート巻回部１０と、導入部１１と、第１のガイド部１６と、第２のガイド部１９と、第３のガイド部２１と、から構成される。台座９のサイズは、約８００ｍｍ×１５０ｍｍである。
シート巻回部１０は、円弧状を成す一対の保持枠１０ａ，１０ａが固定ネジ１０ｃ，１０ｃによって端部をそれぞれ台座９に固定され、保持枠１０ａ，１０ａの最上部間に亘って取り付けられる保持軸１０ｂによってシートパイプ用シート１の巻体を回転可能に保持する。一方、保持軸１０ｂを挟んだ反対側における保持枠１０ａの端部は、同様に固定ネジ１０ｃによって台座９に固定されている（図示せず）。すなわち、シートパイプ用シート１の端部６ａ，６ｂがそれぞれ導入部１１の側部に配置されて供給される構造となっている。なお、シートパイプ用シート１は、これを長軸方向へ引っ張る力（図中矢印Ｙ）によって導入部１１の方向へ誘導される。【００３４】
導入部１１は、シートパイプ用シート１をその長軸方向に沿って導入する入口開口端１２ａと、この導入されたシートパイプ用シート１を送り出す出口開口端１２ｂと、入口開口端１２ａから出口開口端１２ｂの間の上面に隙間を有する一対の翼部１３ａ，１３ｂと、同様の範囲において底面に設けられる傾斜面１４と、から構成される。このうち、入口開口端１２ａの幅は出口開口端１２ｂよりも大であることから、翼部１３ａ，１３ｂは出口開口端１２ｂに向けて縮径している。さらに、翼部１３ａ，１３ｂはそれぞれラッパ管状に形成され、舌片部４が導入される側の翼部１３ａの曲率が、切込部５が導入される側の１３ｂの曲率よりも大となっている。また、傾斜面１４は、シートパイプ用シート１の下方への屈曲を防止するために支持盤１５の一端に設けられた枕部１５ａによって嵩上げされた構造である。【００３５】
次に、第１のガイド部１６は、台座９に取り付けられた支持盤１５によって支持され、出口開口端１２ｂから送り出されたシートパイプ用シート１を通過させる通過孔部１７と、これを通過する際にシートパイプ用シート１を上方（図中矢印Ｚ）から圧接する垂直回転ローラー１８を備える。垂直回転ローラー１８は、通過孔部１７の天井部分を回転軸中心とし、幅方向における位置は繋ぎ目６を圧接するように調整されている。【００３６】
続いて、第２のガイド部１９は、支持盤１５によって支持され、通過孔部１７を通過したシートパイプ用シート１を通過させる第１の環状孔２０が設けられる。この第１の環状孔２０は、通過孔部１７の径よりも小さい径を有している。このため、シートパイプ用シート１は、第１の環状孔２０を通過する際に左右両端から縮径されるような圧力（図中矢印Ｘ１）を受ける構造である。従って、第１の環状孔２０より送り出されたシートパイプ用シート１は、その形状を略筒形状に成型されたものとなっている。【００３７】
さらに、第３のガイド部２１は、支持盤１５によって支持され、第１の環状孔２０を通過したシートパイプ用シート１を通過させる第２の環状孔２２が設けられる。この第２の環状孔２２は、第１の環状孔２０の径よりもさらに小さい径を有している。このため、シートパイプ用シート１は、第２の環状孔２２を通過する際に左右両端から縮径されるような圧力（図中矢印Ｘ２）を受ける構造である。第２の環状孔２２を通過したシートパイプ用シート１は、完全な筒形状を成すシートパイプ２３へと成形されている。【００３８】
次に、図５を参照しながら、実施例２の変形例について説明する。図５は、本発明の第２の実施の形態における変形例に係るシートパイプ成形装置の平面図である。
図５に示すように、本実施例の変形例に係るシートパイプ成形装置８ａは、シートパイプ成形装置８の第２のガイド部１９に代えて、一対の水平回転ローラー２４，２４が設けられる。水平回転ローラー２４，２４は、それぞれ支持盤１５によって支持され懸架材２６によって懸架された回転軸２５，２５を中心として回転する。シートパイプ用シート１は、回転軸２５と回転軸２５との間隙を通過する。なお、この間隙の距離は、通過孔部１７の径よりも小さくなっている。このため、シートパイプ用シート１は、回転軸２５と回転軸２５との間隙を通過する際に左右両端から縮径されるような圧力（図中矢印Ｘ３）を受ける構造である。
この他の構成は、実施例２に係るシートパイプ成形装置８と同様である。【００３９】
次に、実施例２に係るシートパイプ成形装置の作用について説明する。
保持軸１０ｂによって保持されるシートパイプ用シート１の巻体から、図４中矢印Ｙ方向の力によって１枚のシートパイプ用シート１が引き出され、入口開口端１２ａより一対の翼部１３ａ，１３ｂに導入される。翼部１３ａ，１３ｂはそれぞれラッパ管状に形成されることから、端部６ａ，６ｂはそれぞれ上方に向けて湾曲される。また、翼部１３ａ，１３ｂは出口開口端１２ｂに向けて縮径するとともに、翼部１３ａ方が１３ｂよりも曲率よりも大となっているため、端部６ａは端部６ｂに常に上方から覆い被さるように重複し、繋ぎ目６が形成され始めるという作用を有する。端部６ａ，６ｂにはそれぞれ舌片部４及び切込部５が備えられているので、この後垂直回転ローラー１８が上方から圧接する（図４中矢印Ｚ）ことにより舌片部４が切込部５へその上方から挿入され始める。【００４０】
次に、図６及び図７を参照しながら、切込部５へ舌片部４が挿入される際の作用について詳細に説明する。図６（ａ）及び図６（ｂ）はそれぞれ本発明の第２の実施の形態に係るシートパイプ成形装置における第１のガイド部の平面図であり、（ｃ）は（ａ）におけるＡ−Ａ線矢視断面図である。
図６（ａ）及び図６（ｃ）においては、第１のガイド部１６へ実施例１に係るシートパイプ用シート１の端部６ａ，６ｂが送り込まれている。この時点では、端部６ａ，６ｂのうち、主に端部６ａが垂直回転ローラー１８に圧接されているため、主に挿入部４ａが下に突出する方向へと湾曲される。挿入部４ａは、幅が円弧５ａよりも短くなって円弧５ａの内周とほぼ一致する形状となる。従って、挿入部４ａは幅方向について、円弧５ａに進入容易な形状に変形されるという作用を有する。
図６（ｂ）においては、第１のガイド部１６へ実施例１の変形例に係るシートパイプ用シート１ａの端部６ａ，６ｂが送り込まれている。このとき、垂直回転ローラー１８に圧接される箇所は挿入部４ａ及び垂直画７ｂであることから、挿入部４ａ及び垂直画７ｂが下に突出する方向へと湾曲される。従って、水平画７ａと垂直画７ｂの交点における直角部が押され、直角部が折れ曲がって実施例１における円弧５ａと同様な円弧形状へと変形する。従って、挿入部４ａは幅方向について、変形により発生した円弧に進入容易な形状に変形されるという作用を有する。【００４１】
図７（ａ）乃至（ｄ）はそれぞれ本発明の第２の実施の形態に係るシートパイプ成形装置における第１のガイド部の動作前後の側面図であり、（ｂ）は図６（ａ）におけるＢ−Ｂ線矢視図であって、（ｃ）は図６（ｂ）におけるＣ−Ｃ線矢視図である。
図７（ａ）に示すように、垂直回転ローラー１８による圧縮直前においては、舌片部４の下方に切込部５が重複している。このとき円弧５ａと弦５ｂは同じ高さに存在するので、高さ方向について切込部５は拡張していない。次に、図７（ｂ）に示すように、圧縮が開始されると挿入部４ａが下方に屈曲されて円弧５ａに当接する。これにより端部６ｂも下方に湾曲され、円弧５ａは弦５ｂの下方に移動する。よって、高さ方向について切込部５が拡張することとなる。
また、図７（ｃ）に示すように、圧縮直前においては、水平画７ａと垂直画７ｂは同じ高さに存在し、高さ方向について切込部７は拡張していない。しかし、図７（ｄ）に示すように、圧縮によって挿入部４ａが下方に屈曲されると、その先端が垂直画７ｂに当接し、垂直画７ｂが下方に屈曲される。従って、高さ方向について切込部７が拡張することとなる。
このように、切込部５，７は、高さ方向についても拡張されるので、舌片部４が容易に挿入されるという作用を有する。そして、舌片部４が切込部５，７に挿入されることにより、シートパイプ用シート１は上方にわずかな隙間を有する略円筒形状に変形される。【００４２】
続いて、再び図４を参照すれば、略円筒形状に変形されたシートパイプ用シート１は第１の環状孔２０を通過する際に縮径されることから、舌片部４は切込部５へさらに深く押し込まれる。このシートパイプ用シート１は、図中矢印Ｙ方向へ送られることで、複数直列した舌片部４がこれに符合する複数直列の切込部５に順次押し込まれる。
さらに、略円筒形状のシートパイプ用シート１は、第２の環状孔２２を通過する際に縮径されて、切欠部４ｂ，４ｂが弦５ｂの両端部に当接した状態となる。この時点において継ぎ目６は完全に連結され筒形状のシートパイプ２３が完成する。
また、第１のガイド部１６乃至第３のガイド部２１を通過することによって、シートパイプ２３は埋設の方向性が確保される。すなわち、台座９の長手方向がシートパイプ２３の埋設方向を反映するものとなる。【００４３】
さらに、本実施例の変形例に係るシートパイプ成形装置８ａの作用について説明する。シートパイプ用シート１は、回転軸２５と回転軸２５との間隙を通過する際に左右両端から縮径されることから、舌片部４は切込部５へさらに深く押し込まれる。
この他の作用は、実施例２に係るシートパイプ成形装置８と同様である。【００４４】
以上説明したように、本実施例のシートパイプ成形装置８によれば、シート巻回部１０から引き出されたシートパイプ用シート１は、翼部１３ａ，１３ｂを通過した後、垂直回転ローラー１８に圧接されることで舌片部４が切込部５へその上方から挿入されるため、繋ぎ目６は常に高い強度を発揮することができる。
また、垂直回転ローラー１８により円弧５ａの内周とほぼ一致する形状となった挿入部４ａが、高さ方向について拡張した切込部５，７に容易に挿入されるので、確実に端部６ａと端部６ｂを連結することが可能である。さらに、挿入部４ａが切込部５，７内周に衝突しないので、切込部５，７の破損も回避することができる。
さらに、第１のガイド部１６以降は繋ぎ目６を上方から圧接する部材が存在しないことから、埋設作業中に繋ぎ目６が再度開く可能性がなく、作業を速やかに完了することができる。また、台座９の長手方向がシートパイプ２３の埋設方向を反映したものとなることから、台座９を所望する方向に沿って設置すればシートパイプ２３を正確にこの方向に沿って埋設可能である。
以上のように、シートパイプ成形装置８によれば、シートパイプ２３を自動的かつ迅速に成形可能であることから、従来技術に比較して作業効率を大幅に向上させることができるとともに、完成品のパイプを輸送して埋設するよりも輸送効率が高く低コストによる設置が可能である。また、台座９のサイズは約８００ｍｍ×１５０ｍｍであることから、シートパイプ成形装置８は全体的にコンパクトであって、容易な持ち運びが可能である。従って、複数のシートパイプ２３を順次埋設するための移動においても負担が軽い。さらに、シートパイプ成形装置８は、電動によって駆動する部分を有しないため、電源が不要である。従って、広大な耕作地において設置場所を選ばないことから、シートパイプ成形装置８は利便性が高い。【００４５】
次に、本実施例の変形例に係るシートパイプ成形装置８ａの効果について説明する。このシートパイプ成形装置８ａによれば、実施例１に係るシートパイプ成形装置８と同様な効果を有する。【００４６】
なお、本発明のシートパイプ成形装置の構造は本実施例に示すものに限定されない。例えば、第３のガイド部２１は設けられなくても良い。また、台座９は、前述したサイズのものに限定されない。
【産業上の利用可能性】
【００４７】
以上説明したように、本発明の請求項１乃至請求項６に記載された発明は、地層内に埋設されて地下水を誘導又は排水するシートパイプに用いられるシートパイプ用シート及びその成形装置として利用可能である。
【符号の説明】
【００４８】
１…シートパイプ用シート
１ａ…シートパイプ用シート
２…柔軟性平板
３…小孔
４…舌片部
４ａ…挿入部
４ｂ…切欠部
５…切込部
５ａ…円弧
５ｂ…弦
６…繋ぎ目
６ａ…端部
６ｂ…端部
７…切込部
７ａ…水平画
７ｂ…垂直画
８…シートパイプ成形装置
８ａ…シートパイプ成形装置
９…台座
１０…シート巻回部
１０ａ…保持枠
１０ｂ…保持軸
１０ｃ…固定ネジ
１１…導入部
１２ａ…入口開口端
１２ｂ…出口開口端
１３ａ…翼部
１３ｂ…翼部
１４…傾斜面
１５…支持盤
１５ａ…枕部
１６…第１のガイド部
１７…通過孔部
１８…垂直回転ローラー
１９…第２のガイド部
２０…第１の環状孔
２１…第３のガイド部
２２…第２の環状孔
２３…シートパイプ
２４…水平回転ローラー
２５…回転軸
２６…懸架材
２７…帯状プラスチックスシート
２８…基材
２９…小孔
３０ａ…継目縁
３０ｂ…継目縁
３１…逆止舌片
３２…逆止孔
３２ａ…逆止用切れ込み
【図１】
2014013577.tif 000003
【図２】
2014013577.tif 000004
【図３】
2014013577.tif 000005
【図４】
2014013577.tif 000006
【図５】
2014013577.tif 000007
【図６】
2014013577.tif 000008
【図７】
2014013577.tif 000009
【図８】
2014013577.tif 000010
【手続補正書】
【提出日】平成24年11月19日(2012.11.19)
【手続補正１】
【補正対象書類名】明細書
【補正対象項目名】０００４
【補正方法】変更
【補正の内容】
【０００４】
する際に逆止用切れ込み３２ａに応力が集中することから、この部分が裂けてしまうという課題もあった。
［０００７］
また、特許文献２に開示された考案においては、「シートをもとの平板状にもどらないようにして筒状成形体に成形する」とされているものの、具体的な成形方法に関する詳細な記載がなく、不明確である。また、ガイドは上方に開放部を備え、この開放部は同一形状をなす一対のラッパ状を成していることから、巻回されたシートの先端同士が衝突するおそれがある。そのため、巻回速度の低下や筒状成形体の成形不全が発生する可能性がある。
［０００８］
本発明はこのような従来の事情に対処してなされたものであり、確実かつ容易に筒状に成形可能なシートパイプ用シート及び低コストかつ時間効率の良好な施工が可能なシートパイプ用シートの成形装置を提供することを目的とする。
課題を解決するための手段
［０００９］
上記目的を達成するため、請求項１記載の発明に係るシートパイプ用シートは、複数の小孔が穿設された合成樹脂製の柔軟性平板が筒状に成形され，地層内に埋設されて地下水を誘導又は排水するシートパイプに用いられるシートパイプ用シートであって、シートパイプ用シートの端部のうち，平行する一対の端部は筒状に成形された場合に繋ぎ目部分を形成し、このうち一方の端部は挿入部とこの挿入部に比較して幅が狭まる切欠部を備えた舌片部が一定間隔を空けて複数直列に成形され、他方の端部はこの複数の舌片部に符合して複数直列に切込部が設けられ、舌片部と切込部は、互いに撓みつつ舌片部が切込部の上方から挿入されて筒状に成形される際に、撓んだ舌片部の挿入部の外周が撓んだ切込部の内周に沿って挿入可能に構成され、舌片部の挿入部の最大幅は、切込部の最大幅より広いことを特徴とする。
上記構成のシートパイプ用シートにおいて、「撓んだ舌片部の挿入部の外周が撓んだ切込部の内周に沿って挿入可能」とは、舌片部が撓んでいない場合においては撓んでいない切込部への挿入が困難であるという意味である。しかし、例えば圧力を加えて舌片部及び切込部を変形させることにより、挿
【手続補正２】
【補正対象書類名】明細書
【補正対象項目名】０００５
【補正方法】変更
【補正の内容】
【０００５】
入部は切込部へ容易に挿入される。従って、繋ぎ目部分が全体に亘って連結され、完全な筒状のシートパイプが成形されるという作用を有する。
さらに、舌片部は切欠部を備えることから、舌片部が完全に切込部に挿入されると、切欠部が切込部に係止されて互いに離脱困難な状態になるという作用を有する。これに加えて、「舌片部が切込部の上方から挿入されて筒状に成形される」ことから、シートパイプが埋設された場合における地層の荷重は舌片部が切込部へより進入するように作用するので、舌片部と切込部は埋設後さらに離脱困難な状態になる。
また、「舌片部の挿入部の最大幅」及び「切込部の最大幅」とは、何らかの圧力によって変形されていない舌片部の挿入部の最大幅及び切込部の最大幅を意味している。従って、このシートパイプ用シートにおいては、例えば圧力が加えられて舌片部及び切込部が変形し、舌片部が切込部に挿入された後に加圧を停止すると、舌片部及び切込部が元の変形されていない形状に戻る。従って、舌片部は、切込部から引き抜き困難になるという作用を有する。一方、再び加圧して舌片部及び切込部が変形されることに加えて両側方向へシートを引っ張る力が加えられると、舌片部は切込部から引き抜き可能になるという作用を有する。
［００１０］
そして、請求項２に記載の発明に係るシートパイプ用シートは、請求項１記載のシートパイプ用シートにおいて、切込部は、他の端部側に円弧を形成する円弧形状であることを特徴とする。
上記構成のシートパイプ用シートにおいて、円弧形状とは円弧と弦で囲まれる部分を意味しており、他の端部と弦は平行を成している。このような構成のシートパイプ用シートにおいては、請求項１に記載の発明の作用に加えて、例えば舌片部の最大幅が弦の長さよりも長くかつ円弧の内周よりも短い場合では、舌片部の下方に切込部を重ね、舌片部の上方から圧力を加えると、円弧形状に沿うように舌片部が湾曲し舌片部が切込部に挿入されるという作用を有する。
［００１１］
次に、請求項３に記載の発明に係るシートパイプ用シートは、請求項１記載のシートパイプ用シートにおいて、切込部は、他の端部側に垂直画を形成するＴ字形状であることを特徴とする。
上記構成のシートパイプ用シートにおいて、Ｔ字は水平画（かく）と垂直画（かく）からなる文字であって、他の端部と水平画は平行を成している。このような構成のシートパイプ用シートにおいては、請求項１記載の発明の作用に加えて、舌片部の下方に切込部を重ね、舌片部の上方から圧力を加えると、湾曲した舌片部によってＴ字の水平画と垂直画との交点における直角部が押さえられる。その結果、直角部が折れ曲がりＴ字形状は円弧形状に変形する。従って、例えば舌片部の最大幅が水平画の長さよりも長くかつ舌片
【手続補正３】
【補正対象書類名】明細書
【補正対象項目名】０００６
【補正方法】変更
【補正の内容】
【０００６】
部の最大幅が変形によって生じた円弧の内周よりも短い場合では、舌片部が切込部に挿入されるという作用を有する。なお、Ｔ字形状が変形する形状は、円弧形状の他、水平画を底辺とする三角形状も含まれる。
［００１２］
［００１３］
請求項５に記載の発明に係るシートパイプ成形装置は、請求項１乃至請求項３のいずれか１項に記載のシートパイプ用シートを導入して、シートパイプを成形する装置であって、台座に支持具を介して長軸方向に沿って直列に設置されるシート巻回部と，導入部と，第１のガイド部と，第２のガイド部とを備え、シート巻回部は、シートパイプ用シートの舌片部と切込部がそれぞれ側部に形成されるようにシートパイプ用シートを巻いて保持すると共に、導入部へシートパイプ用シートを供給し、導入部は、シートパイプ用シートをその長軸方向に沿って導入する入口開口端と、この導入されたシートパイプ用シートを送り出す出口開口端と、入口開口端から出口開口端に向けて上部に隙間を有して縮径しながら対向する一対の翼部であって，シートパイプ用シートの舌片部が切込部の上方から挿入されて筒状に成形されるように舌片部側の翼部の曲率が切込部側の翼部の曲率よりも大である一対のラッパ
【手続補正４】
【補正対象書類名】明細書
【補正対象項目名】０００８
【補正方法】変更
【補正の内容】
【０００８】
シートパイプ成形装置において、第２のガイド部に代えて、第１のガイド部を通過した筒状のシートパイプの両側面に当接する一対の水平回転ローラーが備えられることを特徴とする。
上記構成のシートパイプ成形装置において、一対の水平回転ローラーは筒状のシートパイプを先端方向に向けて送り出し可能な方向に回転する。
このような構成のシートパイプ成形装置におけるこの他の作用は、請求項５に記載の発明と同様である。
発明の効果
［００１５］
本発明の請求項１に記載のシートパイプ用シートによれば、舌片部が切込部に挿入されてシートパイプ用シートが筒状に成形されることから、現地において筒状に成形することが容易である。従って、すでに筒状に成形されたパイプを埋設するよりも輸送コストが安価である。また、舌片部が上方から切込部へ完全に挿入されるとこれらは互いに離脱困難な状態になることから、シートパイプを埋設後に継ぎ目部分が離脱するという事態となり難い。すなわち、シートパイプに周囲の泥が侵入して排水が阻害されないので、長期間に亘って良好な排水機能を発揮することができる。
さらに、舌片部の挿入部の最大幅は切込部の最大幅より広いため、加圧を停止することで舌片部は切込部から引き抜き困難又は引き抜き可能となる。一方、加圧及び側方へシートを引っ張ることで舌片部は引き抜き可能となる。従って、本請求項に記載のシートパイプ用シートにおいては、自在にシートパイプ用シートを筒状又はシート状のいずれかに形成することができる。
［００１６］
本発明の請求項２記載のシートパイプ用シートによれば、請求項１に記載の発明の効果に加えて、舌片部の上方から圧力を加えると舌片部が湾曲し切込部に挿入されることから、特許文献１に開示された発明よりも容易かつ確実にこれらを連結することが可能である。従って、継ぎ目部分が外れるという事態を回避することができる。また、切込部は円弧形状であることから、舌片部挿入時の応力が集中する部分がないため、切込部の破損も回避することができる。
［００１７］
本発明の請求項３に記載のシートパイプ用シートによれば、請求項１又は請求項２に記載の発明と同様の効果を有する。
［００１８］
【手続補正５】
【補正対象書類名】明細書
【補正対象項目名】０００９
【補正方法】変更
【補正の内容】
【０００９】
［００１９］
本発明の請求項５記載のシートパイプ成形装置によれば、シート巻回部に保持されるシートパイプ用シートが導入部に導入された後、第２のガイド部を通過することで筒状のシートパイプが自動的に成形可能である。従って、手作業の負担がわずかである上に迅速にシートパイプを成形することができる。
また、成形されたシートパイプは、第２のガイド部により、ほぼ筒状となったシートパイプの舌片部が切込部へ深く押し込まれることから、継ぎ目部分の強度が高い。そのため、埋設作業中にこの部分が開く可能性が殆んどなく、作業効率が良好である。また、埋設後においてシートパイプの上方から大きな荷重が掛かる場合にも継ぎ目部分が外れるという不具合が発生しない。なお、埋設後においては、シートパイプの両側面には地層が迫ってきているので、この方向にパイプが拡張可能なスペースが存在しない。従って、この点からも継ぎ目部分の外れは起こらず、耕作用機械の通過にも筒形状を安定的に維持することができるという効果を有する。
［００２０］
本発明の請求項６記載のシートパイプ成形装置によれば、請求項５に記載の発明と同様な効果を有する。
図面の簡単な説明
［００２１］
［図１］（ａ）及び（ｂ）は、それぞれ本発明の第１の実施の形態に係るシートパイプ用シートの平面図及び成形後の外観図である。
［図２］本発明の第１の実施の形態における変形例に係るシートパイプ用シートの平面図である。
［図３］（ａ）は本発明の第１の実施の形態に係るシートパイプ用シートの強度試験結果であり、（ｂ）乃至（ｅ）はそれぞれ横断面の模式図である。
［図４］本発明の第２の実施の形態に係るシートパイプ成形装置の平面図である。
【手続補正６】
【補正対象書類名】明細書
【補正対象項目名】００１０
【補正方法】変更
【補正の内容】
【００１０】
［図５］本発明の第２の実施の形態における変形例に係るシートパイプ成形装置の平面図である。
［図６］（ａ）及び（ｂ）はそれぞれ本発明の第２の実施の形態に係るシートパイプ成形装置における第１のガイド部の平面図であり、（ｃ）は（ａ）におけるＡ−Ａ線矢視断面図である。
［図７］（ａ）乃至（ｄ）はそれぞれ本発明の第２の実施の形態に係るシートパイプ成形装置における第１のガイド部の動作前後の側面図であり、（ｂ）は図６（ａ）におけるＢ−Ｂ線矢視図であって、（ｃ）は図６（ｂ）におけるＣ−Ｃ線矢視図である。
［図８］従来技術に係るシートパイプ用シートの平面図である。
発明を実施するための形態
実施例１
［００２２］
本発明の実施の形態に係る実施例１のシートパイプ用シートについて、図１乃至図３を用いて詳細に説明する（主に、請求項１乃至請求項３に対応）。なお、図１で示した構成要素については、図２においても同一の符号を付して、その説明を省略する。
図１（ａ）及び図１（ｂ）は、それぞれ本発明の第１の実施の形態に係るシートパイプ用シートの平面図及び成形後の外観図である。
［００２３］
図１（ａ）に示すように、本実施例のシートパイプ用シート１は、１ｍｍ厚さを有するポリエチレン製の柔軟性平板２に複数の小孔３が穿設され、互いにおよそ１５０ｍｍ間隔を空けて平行する端部６ａ，６ｂが備えられる。この端部６ａ，６ｂには、それぞれ複数の舌片部４及び切込部５がおよそ１０ｍｍ間隔を空けて直列して設けられ、切込部５は舌片部４に符合する位置に設けられる。
舌片部４には、略三角形状の挿入部４ａと、略三角形状の底辺の両端に相当する位置に切欠部４ｂ，４ｂが備えられる。また、切込部５は、舌片部４を挿入するために設けられており、円弧５ａ及び弦５ｂによって囲まれた略半径形状を成す。この円弧５ａは端部６ｂ寄りに位置し、弦５ｂは端部６ｂ
【手続補正７】
【補正対象書類名】明細書
【補正対象項目名】００２１
【補正方法】変更
【補正の内容】
【００２１】
動的かつ迅速に成形可能であることから、従来技術に比較して作業効率を大幅に向上させることができるとともに、完成品のパイプを輸送して埋設するよりも輸送効率が高く低コストによる設置が可能である。また、台座９のサイズは約８００ｍｍ×１５０ｍｍであることから、シートパイプ成形装置８は全体的にコンパクトであって、容易な持ち運びが可能である。従って、複数のシートパイプ２３を順次埋設するための移動においても負担が軽い。さらに、シートパイプ成形装置８は、電動によって駆動する部分を有しないため、電源が不要である。従って、広大な耕作地において設置場所を選ばないことから、シートパイプ成形装置８は利便性が高い。
［００４５］
次に、本実施例の変形例に係るシートパイプ成形装置８ａの効果について説明する。このシートパイプ成形装置８ａによれば、実施例１に係るシートパイプ成形装置８と同様な効果を有する。
［００４６］
なお、本発明のシートパイプ成形装置の構造は本実施例に示すものに限定されない。例えば、第３のガイド部２１は設けられなくても良い。また、台座９は、前述したサイズのものに限定されない。
産業上の利用可能性
［００４７］
以上説明したように、本発明の請求項１乃至請求項３、請求項５及び請求項６に記載された発明は、地層内に埋設されて地下水を誘導又は排水するシートパイプに用いられるシートパイプ用シート及びその成形装置として利用可能である。
［００４８］
符号の説明
１…シートパイプ用シート
１ａ…シートパイプ用シート
２…柔軟性平板
３…小孔
４…舌片部
４ａ…挿入部
４ｂ…切欠部
５…切込部
【手続補正８】
【補正対象書類名】特許請求の範囲
【補正対象項目名】全文
【補正方法】変更
【補正の内容】
【特許請求の範囲】
【請求項１】
複数の小孔が穿設された合成樹脂製の柔軟性平板（２）が筒状に成形され，地層内に埋設されて地下水を誘導又は排水するシートパイプに用いられるシートパイプ用シートであって、
前記シートパイプ用シートの端部のうち，平行する一対の端部（６ａ，６ｂ）は筒状に成形された場合に繋ぎ目部分（６）を形成し、このうち一方の端部（６ａ）は挿入部（４ａ）とこの挿入部（４ａ）に比較して幅が狭まる切欠部（４ｂ）を備えた舌片部（４）が一定間隔を空けて複数直列に成形され、他方の端部（６ｂ）はこの複数の舌片部（４）に符合して複数直列に切込部（５）が設けられ、
前記舌片部（４）と前記切込部（５）は、互いに撓みつつ前記舌片部（４）が前記切込部（５）の上方から挿入されて筒状に成形される際に、撓んだ前記舌片部（４）の挿入部（４ａ）の外周が撓んだ前記切込部（５）の内周に沿って挿入可能に構成され、前記舌片部（４）の挿入部（４ａ）の最大幅は、前記切込部（５）の最大幅より広いことを特徴とするシートパイプ用シート（１）。
【請求項２】
前記切込部（５）は、前記他の端部（６ｂ）側に円弧（６ａ）を形成する円弧形状であることを特徴とする請求項１記載のシートパイプ用シート（１）。
【請求項３】
前記切込部（７）は、前記他の端部（６ｂ）側に垂直画（７ｂ）を形成するＴ字形状であることを特徴とする請求項１記載のシートパイプ用シート（１ａ）。
【請求項４】
（削除）
【請求項５】
請求項１乃至請求項３のいずれか１項に記載のシートパイプ用シートを導入して、シートパイプを成形する装置であって、
台座（９）に支持具（１０ａ〜１０ｃ）を介して長軸方向に沿って直列に設置されるシート巻回部（１０）と，導入部（１１）と，第１のガイド部（１６）と，第２のガイド部（１９）とを備え、
前記シート巻回部（１０）は、前記シートパイプ用シートの前記舌片部（４）と前記切込部（５）がそれぞれ側部に形成されるように前記シートパイプ用シートを巻いて保持すると共に、前記導入部（１１）へ前記シートパイプ用シートを供給し、
前記導入部（１１）は、前記シートパイプ用シートをその長軸方向に沿って導入する入口開口端（１２ａ）と、この導入された前記シートパイプ用シートを送り出す出口開口端（１２ｂ）と、前記入口開口端（１２ａ）から前記出口開口端（１２ｂ）に向けて上部に隙間を有して縮径しながら対向する一対の翼部であって，前記シートパイプ用シートの舌片部（４）が前記切込部（５）の上方から挿入されて筒状に成形されるように舌片部（４）側の翼部（１３ａ）の曲率が切込部（５）側の翼部（１３ｂ）の曲率よりも大である一対のラッパ管状に形成された翼部（１３ａ，１３ｂ）を備え、
前記第１のガイド部（１６）は、前記出口開口端（１２ａ）から湾曲され送り出された前記シートパイプ用シートを通過させて，筒状のシートパイプ（２３）に成形する通過孔部（１７）と、前記シートパイプ用シートを上方から圧接する垂直回転ローラー（１８）を備え、
前記第２のガイド部（１９）は、前記通過孔部（１７）の径よりも小さい径を有して前記筒状のシートパイプ（２３）を通過させる環状孔（２０）を備えることを特徴とするシートパイプ成形装置（８）。
【請求項６】
前記第２のガイド部（１９）に代えて、前記第１のガイド部（１６）を通過した前記筒状のシートパイプ（２３）の両側面に当接する一対の水平回転ローラー（２４，２４）が備えられることを特徴とする請求項５に記載のシートパイプ成形装置（８ａ）。
【国際調査報告】
2014013577.tif 000011
2014013577.tif 000012
2014013577.tif 000013
2014013577.tif 000014